(57)【要約】【課題】  映像情報及び演奏情報を含むカラオケ情報の取り扱いを容易にするカラオケ装置を提供する。【解決手段】  背景映像情報及び演奏情報を含む第１ファイルに基づいて背景映像の表示制御及び演奏曲の出力制御を行うｍｐｅｇデコーダ１４と、歌詞情報を含む第２ファイルに基づいて歌詞文字映像の表示制御を行う歌詞文字映像表示制御手段５８とを、含むことから、背景映像情報及び演奏情報を含む第１ファイルと、歌詞情報を含む第２ファイルとをそれぞれ個別に取り扱うことができ、その歌詞情報に誤りがあった場合の訂正等を行い易い。すなわち、映像情報及び演奏情報を含むカラオケ情報の取り扱いを容易にするカラオケ装置１０を提供することができる。【選択図】  図４
2006145896.tif 000002
【特許請求の範囲】
【請求項１】
多数の演奏曲のうちから選択される所定の演奏曲を出力させると共に、所定の背景映像に該演奏曲の歌詞文字映像を合成して表示させるカラオケ装置であって、
背景映像情報及び演奏情報を含む第１ファイルに基づいて前記背景映像の表示制御及び前記演奏曲の出力制御を行う背景映像表示／演奏制御手段と、
歌詞情報を含む第２ファイルに基づいて前記歌詞文字映像の表示制御を行う歌詞文字映像表示制御手段と
を、含むことを特徴とするカラオケ装置。
【請求項２】
前記背景映像表示／演奏制御手段及び歌詞文字映像表示制御手段は、共通のスクリプトファイルを参照してそれぞれ前記制御を行うものである請求項１のカラオケ装置。
【請求項３】
前記第２ファイルは、前記歌詞文字映像の色替え制御を行うための色替情報を含むものであり、前記歌詞文字映像表示制御手段は、該色替情報に基づいて前記歌詞文字映像の色替え制御を行うものである請求項１又は２のカラオケ装置。
【請求項４】
前記第１ファイルは、ｍｐｅｇ形式のファイルであり、前記第２ファイルは、テキスト形式のファイルである請求項１から３の何れかのカラオケ装置。
【発明の詳細な説明】
【技術分野】
【０００１】
本発明は、多数の演奏曲のうちから選択される所定の演奏曲を出力させると共に、その演奏曲の歌詞文字映像を含む所定の画像を表示させ得るカラオケ装置の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞文字映像（歌詞テロップ）を含む映像をその出力に同期して画面に表示させることで、所望の歌のカラオケ演奏を楽しむことができる。
【０００３】
斯かるカラオケ装置は、通常、演奏情報及び歌詞情報を含むカラオケ情報に基づいて上記演奏曲の演奏出力を行うと共にその演奏出力に同期して歌詞文字映像を生成して表示させる。また、その演奏曲に関連付けられた所定の背景映像を上記歌詞文字映像の背後に合成して画面に表示させる。例えば、特許文献１に記載されたカラオケ装置がその一例であり、このような技術によれば、カラオケ演奏曲それぞれに個別の背景映像を用意する必要がないことから、上記カラオケ情報を簡単なものとすることができ、可及的多数の演奏曲を出力させられるように構成できる。
【０００４】
【特許文献１】特開２０００−１２５１９９号公報
【０００５】
ところで、近年において、前記演奏曲のアーティスト（歌い手）のプロモーションビデオ（紹介映像）に歌詞文字映像を合成して出力させるカラオケ装置が普及している。この形態では、前記演奏曲の売り出しのために作成されたプロモーションビデオを流用することから、人的な手間をかけることなくカラオケ演奏曲それぞれに個別の背景映像を用意できることに加え、タイアップによる双方向性の宣伝効果も期待できる。しかし、従来のカラオケ装置では、予めプロモーションビデオに歌詞文字映像を合成したｍｐｅｇ（Moving Picture Experts Group）ファイル等に基づいてカラオケ演奏制御を行うものであったことから、歌詞に誤字があった場合や歌詞文字映像の出力タイミングが間違っている等、その内容を訂正する必要が生じた際にファイルそのものを遣り取りしなければならず、配信等の取り扱いがし辛いという弊害があった。
【発明の開示】
【発明が解決しようとする課題】
【０００６】
本発明は、以上の事情を背景として為されたものであり、その目的とするところは、映像情報及び演奏情報を含むカラオケ情報の取り扱いを容易にするカラオケ装置を提供することにある。
【課題を解決するための手段】
【０００７】
斯かる目的を達成するために、本発明の要旨とするところは、多数の演奏曲のうちから選択される所定の演奏曲を出力させると共に、所定の背景映像にその演奏曲の歌詞文字映像を合成して表示させるカラオケ装置であって、背景映像情報及び演奏情報を含む第１ファイルに基づいて前記背景映像の表示制御及び前記演奏曲の出力制御を行う背景映像表示／演奏制御手段と、歌詞文字映像情報を含む第２ファイルに基づいて前記歌詞文字映像の表示制御を行う歌詞文字映像表示制御手段とを、含むことを特徴とするものである。
【発明の効果】
【０００８】
このようにすれば、背景映像情報及び演奏情報を含む第１ファイルに基づいて前記背景映像の表示制御及び前記演奏曲の出力制御を行う背景映像表示／演奏制御手段と、歌詞情報を含む第２ファイルに基づいて前記歌詞文字映像の表示制御を行う歌詞文字映像表示制御手段とを、含むことから、背景映像情報及び演奏情報を含む第１ファイルと、歌詞情報を含む第２ファイルとをそれぞれ個別に取り扱うことができ、その歌詞情報に誤りがあった場合の訂正等を行い易い。すなわち、映像情報及び演奏情報を含むカラオケ情報の取り扱いを容易にするカラオケ装置を提供することができる。
【０００９】
ここで、好適には、前記背景映像表示／演奏制御手段及び歌詞文字映像表示制御手段は、共通のスクリプトファイルを参照してそれぞれ前記制御を行うものである。このようにすれば、実用的な態様でカラオケ演奏制御を実行できるという利点がある。
【００１０】
また、好適には、前記第２ファイルは、前記歌詞文字映像の色替え制御を行うための色替情報を含むものであり、前記歌詞文字映像表示制御手段は、その色替情報に基づいて前記歌詞文字映像の色替え制御を行うものである。このようにすれば、前記演奏曲の出力に同期して前記歌詞文字映像の色替え制御を実行できるという利点がある。
【００１１】
また、好適には、前記第１ファイルは、ｍｐｅｇ形式のファイルであり、前記第２ファイルは、テキスト形式のファイルである。このようにすれば、実用的な形式の前記第１ファイル及び第２ファイルに基づいてカラオケ演奏制御を実行できるという利点がある。
【実施例】
【００１２】
以下、本発明の好適な実施例を図面に基づいて詳細に説明する。
【００１３】
図１は、本発明の一実施例であるカラオケ装置１０の構成を例示するブロック線図である。この図１に示すように、上記カラオケ装置１０は、ＣＲＴ等の映像表示装置１２と、背景映像表示／演奏制御手段であるｍｐｅｇデコーダ１４と、ビデオミキサ１６と、アンプミキサ１８と、スピーカ２０と、マイクロフォン２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、音源であるシンセサイザ４０と、リモコン装置４８や電子早見本装置５０等の入力装置からのリモコン信号を受信するためのリモコン受信部４２と、その電子早見本装置５０等との間で無線ＬＡＮ通信を行うための無線ＬＡＮ通信部４４とを、備えて構成されている。
【００１４】
上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、上記リモコン装置４８や電子早見本装置５０等により所定のカラオケ演奏曲が選曲された場合、その選曲されたカラオケ演奏曲を上記ＲＡＭ３０に設けられた予約曲リストに登録したり、その予約曲リストの演奏順に従って上記ハードディスク３２から上記ＲＡＭ３０に選曲された演奏曲のカラオケ情報を読み出したり、そのカラオケ情報に基づいて上記ｍｐｅｇデコーダ１４により所定の背景映像を表示させると共に演奏を出力させたり、歌詞情報に基づいて歌詞文字映像を生成して上記ＣＲＴコントローラ３６へ送ったり、選曲時には曲名文字映像を生成して上記ＣＲＴコントローラ３６へ送る等の基本的な制御を実行する。
【００１５】
前記操作パネル２４は、前記カラオケ装置１０の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１０には、前記操作パネル２４の一部機能を遠隔で実行するための入力装置として機能するリモコン装置４８及び電子早見本装置５０が備えられており、前記リモコン受信部４２は、それら入力装置から送信されるリモコン信号を受信して前記ＣＰＵ２６へ供給する。また、前記無線ＬＡＮ通信部４４は、前記電子早見本装置５０との間で無線ＬＡＮ通信を行うことによりその電子早見本装置５０からの選曲入力を受け付けたり、前記カラオケ装置１０から電子早見本装置５０へ所定の処理を実行させるための指令を送信したりというように、電波を介して前記カラオケ装置１０と電子早見本装置５０との間における相互の情報のやりとりを行う。
【００１６】
前記ｍｐｅｇデコーダ１４は、ｍｐｅｇ（Moving Picture Experts Group）形式のファイルに基づいて映像信号及び音声信号を復号する復号器である。このｍｐｅｇデコーダ１４により生成された音楽信号は、アナログ信号に変換されて前記アンプミキサ１８へ送られる。そのアンプミキサ１８では、送られてきた音楽信号と前記マイクロフォン２２を介して入力される利用者の歌声とがミキシングされ、それらの信号が電気的に増幅されて前記スピーカ２０から出力される。
【００１７】
また、前記ｍｐｅｇデコーダ１４により復号された映像（背景映像）は、前記ビデオミキサ１６を介して前記映像表示装置１２により出力される。前記ＣＲＴコントローラ３６は、前記ＣＰＵ２６において生成された歌詞文字映像等の文字映像（テロップ）を出力する文字映像出力装置であり、前記ビデオミキサ１６は、前記ＣＰＵ２６において生成され且つ前記ＣＲＴコントローラ３６から出力される文字映像と、前記ｍｐｅｇデコーダ１４により再生される背景映像とを合成して前記映像表示装置１２に表示させる映像合成装置である。
【００１８】
また、前記カラオケ装置１０は、前記シンセサイザ４０により演奏曲の出力を行い得るものである。前記シンセサイザ４０は、所定の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ４０により生成された音楽信号は、アナログ信号に変換されて前記アンプミキサ１８へ送られる。そのアンプミキサ１８では、送られてきた音楽信号と前記マイクロフォン２２を介して入力される利用者の歌声とがミキシングされ、それらの信号が電気的に増幅されて前記スピーカ２０から出力される。
【００１９】
図２は、前記カラオケ装置１０のハードディスク３２に設けられた各種データベースを説明する図である。この図２に示すように、前記ハードディスク３２には、背景映像情報及び演奏情報を含む第１ファイルである多数のｍｐｅｇファイルを記憶するための第１ファイルデータベース５２と、歌詞情報を含む第２ファイルである多数（好適には、第１ファイルと一対一対応にて同数）のテキストファイルを記憶するための第２ファイルデータベース５４と、上記第１ファイル及び第２ファイルに基づいてカラオケ演奏制御を行うための単数乃至は複数のスクリプトファイルを記憶するスクリプトファイル記憶部５６とが設けられている。これら第１ファイル及び第２ファイルは、それぞれ個別に配信等の取り扱いが可能なコンテンツであり、前記カラオケ装置１０では、上記第１ファイル及び第２ファイルがカラオケ演奏制御を実行するためのカラオケ情報に相当する。また、本実施例では説明を省略するが、前記ハードディスク３２には、ＭＩＤＩファイルから成るカラオケ情報を記憶するカラオケデータベースが、上記第１ファイルデータベース５２及び第２ファイルデータベース５４とは別に設けられている。
【００２０】
前記モデム３４は、前記カラオケ装置１０を公衆電話回線等による通信回線４６に接続するための装置である。カラオケボックス等の店舗にそれぞれ備えられた複数のカラオケ装置１０は、上記通信回線４６を介して図示しないカラオケサービス提供会社のセンタ装置に接続されており、それら複数のカラオケ装置１０によって常に新しい曲が演奏可能とされるように、随時新曲に対応するカラオケ情報が上記センタ装置から上記通信回線４６を介してダウンロードされ、前記ハードディスク３２の第１ファイルデータベース５２及び第２ファイルデータベース５４等に記憶されるようになっている。すなわち、前記カラオケ装置１０は、電気通信回線を通じて各種情報の送受信を実行し得る通信カラオケ装置である。
【００２１】
図４は、前記カラオケ装置１０のＣＰＵ２６に備えられた制御機能の要部を説明する機能ブロック線図である。この図４に示す歌詞文字映像表示制御手段５８は、前記第２ファイルデータベース５４に記憶された演奏曲毎の第２ファイルに基づいてその演奏曲に関する歌詞文字映像（歌詞テロップ）の表示制御を行う。具体的には、前記第２ファイルに含まれる歌詞情報に基づいて歌詞文字映像を生成して前記ＣＲＴコントローラ３６へ送り、そのＣＲＴコントローラ３６及びビデオミキサ１６を介して前記映像表示装置１２にその歌詞文字映像を表示させる。
【００２２】
図３は、前記第２ファイルデータベース５４に記憶された第２ファイルであるテキストファイルの内容を例示する図である。この図３に示すように、前記第２ファイルは、演奏曲のＩＤである選曲番号「75135」、演奏曲のキーワードである「幸せ」、「マニ☆ラバ」、「はるよピ」、「しあわせ」、「まにらば」等のテキスト、総曲時間「3'31"」、曲の演奏形態「ソロ男」等の情報に加えて、演奏曲の歌詞情報及びその歌詞情報を表示させるタイミングを示すタイミングコードを含んでいる。すなわち、図３に示すファイルでは、歌詞「幸せ  幸せ  いつまでも幸せ」を「01:00:14:11」のタイミングで、歌詞「幸せは  どこから」を「01:00:17:27」のタイミングで、歌詞「やってくるだろうよ」を「01:00:21:11」のタイミングで、・・・、歌詞「過ぎ去ってゆく」を「01:01:39:25」のタイミングで、それぞれ歌詞文字映像として出力させるように定められている。上記歌詞文字映像表示制御手段５８は、この情報に従って演奏曲の歌詞文字映像を順次生成して表示させる制御を実行する。
【００２３】
また、図４に示すように、前記ｍｐｅｇデコーダ１４は、背景映像表示／演奏制御手段として機能するものであり、前記第１ファイルデータベース５２に記憶された第１ファイルに基づいて前記背景映像の表示制御及び前記演奏曲の出力制御を行う。具体的には、前記第１ファイルに含まれる背景映像情報に基づいて背景映像を出力させて前記ビデオミキサ１６へ送ると共に、演奏情報に基づいて演奏曲の音楽情報（演奏音）を出力させて前記アンプミキサ１８へ送る。図５は、前記ｍｐｅｇデコーダ１４により前記映像表示装置１２の画面６０に背景映像６２が表示されると共に、前記スピーカ２０から演奏音が出力されている様子を説明する図であり、図６は、斯かる画面６０において背景映像６２より上側（上層レイヤ）に歌詞文字映像６４が合成されると共に、上記演奏音に合わせてカラオケ演奏が行われる様子を説明する図である。これらの図に示すように、前記カラオケ装置１０によるカラオケ演奏においては、前記ｍｐｅｇデコーダ１４から送られた背景映像と、前記歌詞文字映像表示制御手段５８により生成され前記ＣＲＴコントローラ３６により出力された歌詞文字映像とが、前記ビデオミキサ１６において合成されて前記映像表示装置１２に表示される。また、前記ｍｐｅｇデコーダ１４から出力された演奏曲と、前記マイクロフォン２２を介して入力される利用者の歌声とがミキシングされ、それらの信号が電気的に増幅されて前記スピーカ２０から出力される。
【００２４】
ここで、前記ｍｐｅｇデコーダ１４及び及び歌詞文字映像表示制御手段５８は、好適には、前記スクリプトファイル記憶部５６に記憶された共通のスクリプトファイルを参照してそれぞれ前記制御を行うものである。このスクリプトファイルは、例えば、前記リモコン装置４８等により入力された選曲番号に対応したテキストファイルを前記第１ファイルデータベース５２から読み出すと共に、その選曲番号に対応したｍｐｅｇファイルを前記第２ファイルデータベース５４から読み出すようにそれらを対応付ける情報が記載されたものであり、前記ｍｐｅｇデコーダ１４及び及び歌詞文字映像表示制御手段５８は、斯かるスクリプトファイルを参照することで、好適に前述の制御を同期して実行することができる。
【００２５】
図７は、前記カラオケ装置１０のＣＰＵ２６によるカラオケ演奏制御の要部を説明するフローチャートであり、所定の周期で繰り返し実行されるものである。
【００２６】
先ず、ステップ（以下、ステップを省略する）Ｓ１において、前記リモコン装置４８等により所定の選曲操作（選曲入力）が行われたか否かが判断される。このＳ１の判断が否定される場合には、それをもって本ルーチンが終了させられるが、Ｓ１の判断が肯定される場合には、Ｓ２において、前記スクリプトファイル記憶部５６に記憶されたスクリプトファイルに従い、入力された選曲番号に対応するｍｐｅｇファイル及びテキストファイルが前記第１ファイルデータベース５２及び第２ファイルデータベース５４から前記ＲＡＭ３０等に読み出される。次に、Ｓ３において、Ｓ２にて読み出されたｍｐｅｇファイルに基づいて背景映像の表示制御及び前記演奏曲の出力制御が開始される。次に、前記歌詞文字映像表示手段５８の動作に対応するＳ４において、Ｓ２にて読み出されたテキストファイルに基づいてその演奏曲に関する歌詞文字映像（歌詞テロップ）の表示制御が行われる。次に、Ｓ５において、カラオケ演奏終了であるか否かが判断される。このＳ５の判断が否定される場合には、Ｓ４以下の処理が再び実行されるが、Ｓ５の判断が肯定される場合には、Ｓ６において、ｍｐｅｇファイルに基づく背景映像の出力制御及び演奏曲の出力制御が終了させられた後、本ルーチンが終了させられる。以上の制御において、Ｓ３、Ｓ５、及びＳ６が背景映像表示／演奏制御手段すなわち前記ｍｐｅｇデコーダ１４の動作に対応する。
【００２７】
このように、本実施例によれば、背景映像情報及び演奏情報を含む第１ファイルに基づいて前記背景映像の表示制御及び前記演奏曲の出力制御を行う背景映像表示／演奏制御手段として機能するｍｐｅｇデコーダ１４（Ｓ３、Ｓ５、及びＳ６）と、歌詞情報を含む第２ファイルに基づいて前記歌詞文字映像の表示制御を行う歌詞文字映像表示制御手段５８（Ｓ４）とを、含むことから、背景映像情報及び演奏情報を含む第１ファイルと、歌詞情報を含む第２ファイルとをそれぞれ個別に取り扱うことができ、その歌詞情報に誤りがあった場合の訂正等を行い易い。すなわち、映像情報及び演奏情報を含むカラオケ情報の取り扱いを容易にするカラオケ装置１０を提供することができる。
【００２８】
また、前記ｍｐｅｇデコーダ１４及び歌詞文字映像表示制御手段５８は、共通のスクリプトファイルを参照してそれぞれ前記制御を行うものであるため、実用的な態様でカラオケ演奏制御を実行できるという利点がある。
【００２９】
また、前記第１ファイルは、ｍｐｅｇ形式のファイルであり、前記第２ファイルは、テキスト形式のファイルであるため、実用的な形式の前記第１ファイル及び第２ファイルに基づいてカラオケ演奏制御を実行できるという利点がある。
【００３０】
以上、本発明の好適な実施例を図面に基づいて詳細に説明したが、本発明はこれに限定されるものではなく、更に別の態様においても実施される。
【００３１】
例えば、第２ファイルは、演奏曲毎の歌詞情報に加えて、その歌詞情報に応じて表示される歌詞文字映像の色替え制御を行うための色替情報（色替タイミングコード）を含むものであってもよい。この場合、前記歌詞文字映像表示制御手段５８は、その色替情報に基づいて前記歌詞文字映像の色替え制御を行う。このようにすれば、前記演奏曲の出力に同期して前記歌詞文字映像の色替え制御を実行できるという利点がある。
【００３２】
また、前述の実施例において、第１ファイルは、ｍｐｅｇ形式のファイルであったが、例えば、ＡＶＩ（Audio Video Interleaved）形式やＡＳＦ（Advansed Streaming Format）形式等といった、他の形式のファイルであってもよく、背景映像情報及び演奏情報を含み得るものであれば、その態様は問わない。同様に、第２ファイルは、テキスト形式に限定されるものではない。
【００３３】
その他、一々例示はしないが、本発明はその趣旨を逸脱しない範囲内において、種々の変更が加えられて実施されるものである。
【図面の簡単な説明】
【００３４】
【図１】本発明の一実施例であるカラオケ装置の構成を例示するブロック線図である。
【図２】図１のカラオケ装置のハードディスクに設けられた各種データベースを説明する図である。
【図３】図２の第２ファイルデータベースに記憶された第２ファイルであるテキストファイルの内容を例示する図である。
【図４】図１のカラオケ装置のＣＰＵに備えられた制御機能の要部を説明する機能ブロック線図である。
【図５】図４に示すｍｐｅｇデコーダにより映像表示装置の画面に背景映像が表示されると共に、スピーカから演奏音が出力されている様子を説明する図である。
【図６】図５に示す画面において背景映像より上側（上層レイヤ）に歌詞文字映像が合成されると共に、演奏音に合わせてカラオケ演奏が行われる様子を説明する図である。
【図７】図１のカラオケ装置のＣＰＵによるカラオケ演奏制御の要部を説明するフローチャートである。
【符号の説明】
【００３５】
１０：カラオケ装置
１４：ｍｐｅｇデコーダ（背景映像表示／演奏制御手段）
５８：歌詞文字映像表示制御手段
６２：背景映像
６４：歌詞文字映像
【図１】
2006145896.tif 000003
【図２】
2006145896.tif 000004
【図３】
2006145896.tif 000005
【図４】
2006145896.tif 000006
【図５】
2006145896.tif 000007
【図６】
2006145896.tif 000008
【図７】
2006145896.tif 000009